(57)【特許請求の範囲】
【請求項１】
多数連なったスラットの上端を固着してある巻取りドラムと、巻取りドラムの一端をドラムキャップを介して回転可能に支持する支持軸と、巻取りドラムの他端をドラムホルダを介して回転可能に支持する本体ケースと、巻取りドラムの一端に回転可能に収納され、内側端部に設けた出力軸を巻取りドラム内に固着された駆動ロータに一体回転可能に連結した電動モータと、巻取りドラム内に収納され、両端を前記支持軸と巻取りドラムとに固着された巻取りスプリングと、本体ケース内に設置され、巻取りドラムの回転量を駆動ギヤ及び中継ギヤを経由して比例伝達される上限カム及び下限カムと、本体ケース内に設置され、前記上限カム及び下限カムを介して電動モータを停止させる上限及び下限リミットスイッチとを具備した電動式シャッターにおいて、
本体ケース内に突出する電動モータの外側端部に固着され、外周面に係合凹部が形成されたラッチホイールと、本体ケース内で前記ラッチホイールの外周側に配設され、先端部が前記係合凹部に係合・離脱可能に設置されたラッチと、前記ラッチと係合して、本体ケースの外部からの操作にて正逆いずれかの方向に回動することにより本体ケース内でラッチをラッチホイールに係合・離脱させるためのラッチカムとを備え、
通常時には、ラッチの先端部をラッチホイールの係合凹部に係合させて電動モータを固定した電動状態とし、停電時等には、本体ケースの外部からのラッチカムへの操作によって、ラッチカムを正逆いずれかの方向に１回転以内で回動させて、ラッチ先端部をラッチホイールの係合凹部から離脱させて電動モータをフリーとした手動状態とすることを特徴とする電動式シャッターの手動切換装置。
【発明の詳細な説明】
【０００１】
【発明の属する技術分野】
本発明は、電動式シャッターの手動切換装置に関するものである。
【０００２】
【従来の技術】
この種の電動式シャッターは、停電時や電動モータの故障時等において、手動操作可能とすることが要求されている。このような要求を満たし、かつ、装置全体のコンパクト化を図るために、本出願人は、実開平５−３５９４号公報に記載された電動式シャッターの手動切換装置を提案している。
【０００３】
上記提案の装置は、図５及び図６の（Ａ）、（Ｂ）に示すように、多数連なったスラット１１の上端を固着してある巻取りドラム１２が、その両端でシャッター取付け個所１３に回転可能に取付けられ、通常時においては、巻取りドラム１２内に内蔵させた電動モータ１４を正逆回転させることにより、巻取りドラム１２を介してスラット１１を巻き上げたり、巻き戻したりできるようにすると共に、停電時等においては、手動操作でスラット１１を上げ下げできるようにしている。
【０００４】
具体的に説明すると、巻取りドラム１２は、その一端をドラムキャップ１５を介して支持軸１６に、他端をドラムホルダ１７を介して本体ケース１８にそれぞれ回転可能に支持させてある。支持軸１６の外端部と本体ケース１８とは、例えば、出入口の上部の適当な静止部材に取付けられる。
【０００５】
電動モータ１４は、外端部に一体に設けた小径部をドラムホルダ１７に回転可能に支持させ、内端部の出力軸１９を巻取りドラム１２の駆動ロータ２０に一体的に回転するように支持させてある。上記駆動ロータ２０は、巻取りドラム１２の内部に一体に固着してある。
【０００６】
そして、電動モータ１４の小径部は、本体ケース１８内に突出させてあり、この小径部にはウオームホイール２１を固着し、このウオームホイール２１をウオーム２２に噛合させて、通常時、ウオームロックで電動モータ１４の回転を防止して電動モータ１４の出力軸１９の回転時の回転反力を本体ケース１８に支持させている。
【０００７】
上記ウオーム２２は、そのウオーム軸２３を本体ケース１８に回転可能に支持させており、しかも、停電時等には、ウオームロックを解除させるために、前記ウオーム２２をウオームホイール２１から噛合が外れる位置まで軸方向に移動可能となるようにウオーム軸２３を本体ケース１８に貫通して支持させている。
【０００８】
上記ウオーム軸２３の一端には、六角頭部２４と位置決め鍔２５とが設けてあり、停電時等には、この六角頭部２４を一方に回転させて、ウオーム軸２３を図６の（Ａ）に鎖線で示す位置まで移動させて、ウオーム２２をウオームホイール２１から引き離して噛合を解くものである。なお、ウオーム軸２３が軸方向に移動する理由は、ウオーム軸２３を外部から回転させると、ウオームホイール２１を回そうとするが、このウオームホイール２１には電動モータ１４が一体に付いており、さらに、巻取りドラム１２及びスラット１１の自重が回転抵抗となって回ることができず、その反力として、ウオーム軸２３が軸方向に移動するためである。
【０００９】
一方、通常時、ウオーム軸２３の軸方向移動を防止し、ウオームロックを確実に保持させるために、図６の（Ａ）、（Ｂ）に示すように、ロックレバー２６を本体ケース１８の側面にピン２７を介して回動操作可能に取付けて、ロックレバー２６の先端のラッチ部２６ａをウオーム軸２３の端部の係合溝２３ａに係合・離脱可能としている。
【００１０】
また、本体ケース１８内には、図６の（Ａ）に示すように、上限リミットスイッチ２８を作動させる上限カム２９、及び下限リミットスイッチ３０を作動させる下限カム３１を設置している。上限カム２９及び下限カム３１には、図５及び図６の（Ａ）に示すように、巻取りドラム１２と一体のドラムホルダ１７に固着してある駆動ギヤ３２から、中継ギヤ３３を経由して、巻取りドラム１２の巻取り量及び巻き戻し量（回転量）に比例した回転を減速伝達させ、スラット１１が巻き上げ上限及び下限に達すると、前記リミットスイッチ２８、３０によって電動モータ１４を停止させるようにしている。
【００１１】
なお、巻取りドラム１２内には、図５に示すように、支持軸１６の内側延長端部に固着した座板３４とドラムキャップ１５とに両端を固着した巻取りスプリング３５が装着してある。この巻取りスプリング３５は、手動操作を補助するために、スラット１１の自重とバランスするようにばね力が設定されている。
【００１２】
【発明が解決しようとする課題】
しかしながら、上記提案の装置は、自動操作と手動操作の切換手段を構成しているウオーム軸２３の六角頭部２４側の端部及びロックレバー２６を本体ケース１８の外部に露出させて設置する必要があるため、ウオームロックが誤解除されたり、ウオーム軸２３が軸方向に誤動作する不具合があった。また、停電時等において、ウオームロックを解除させる際、ウオーム軸２３を多数回に亘って回転させなければならず、手間が掛かることと、ウオーム軸２３を回転させる方向が１方向に限定され、逆方向に回転させるとウオームロックを解除させることができない不具合があった。さらに、自動操作に戻す場合にも同様な不具合があった。
【００１３】
本発明は、自動操作から手動操作への切換手段を本体ケース内に収納可能とし、切換操作及び自動操作への復帰操作を簡単化し得る電動シャッターの手動切換装置を提供することを目的としている。
【００１４】
【課題を解決するための手段】
上記目的を達成するため本発明は、多数連なったスラットの上端を固着してある巻取りドラムと、巻取りドラムの一端をドラムキャップを介して回転可能に支持する支持軸と、巻取りドラムの他端をドラムホルダを介して回転可能に支持する本体ケースと、巻取りドラムの一端に回転可能に収納され、内側端部に設けた出力軸を巻取りドラム内に固着された駆動ロータに一体回転可能に連結した電動モータと、巻取りドラム内に収納され、両端を前記支持軸と巻取りドラムとに固着された巻取りスプリングと、本体ケース内に設置され、巻取りドラムの回転量を駆動ギヤ及び中継ギヤを経由して比例伝達される上限カム及び下限カムと、本体ケース内に設置され、前記上限カム及び下限カムを介して電動モータを停止させる上限及び下限リミットスイッチとを具備した電動式シャッターにおいて、本体ケース内に突出する電動モータの外側端部に固着され、外周面に係合凹部が形成されたラッチホイールと、本体ケース内で前記ラッチホイールの外周側に配設され、先端部が前記係合凹部に係合・離脱可能に設置されたラッチと、前記ラッチと係合して、本体ケースの外部からの操作にて正逆いずれかの方向に回動することにより本体ケース内でラッチをラッチホイールに係合・離脱させるためのラッチカムとを備え、通常時には、ラッチの先端部をラッチホイールの係合凹部に係合させて電動モータを固定した電動状態とし、停電時等には、本体ケースの外部からのラッチカムへの操作によって、ラッチカムを正逆いずれかの方向に１回転以内で回動させて、ラッチ先端部をラッチホイールの係合凹部から離脱させて電動モータをフリーとした手動状態とすることを特徴とする。
【００１５】
本発明の電動式シャッターの手動切換装置は、上記構成としたから、自動操作と手動操作の切換手段を構成する全ての部材が本体ケース内に収納されており、外部に露出させる必要がないため、ラッチが誤ってラッチホイールからの係合を離脱されるようなことが皆無となり、安全性が著しく向上する。
【００１６】
また、本発明の電動式シャッターの手動切換装置は、前記ラッチ操作手段が、本体ケース内で回動可能に支持され、ラッチをラッチホイールに係合・離脱させるためのラッチカムで構成されていることを特徴とする。この構成によれば、ラッチをラッチホイールに対して係合・離脱させるための操作は、操作切換工具によりラッチカムを１回転以内の小さい角度、例えば、９０°程度回動させるだけでよく、しかも、操作切換工具によるラッチカムの回転方向は、正逆いずれの方向でもよいため、切換操作が簡単で操作性も向上する。
【００１７】
【発明の実施の形態】
以下、本発明に係る装置の自動操作と手動操作の切換手段の構成を図１乃至図４に示す実施例に基いて詳細に説明する。なお、説明の重複を避けるため、従来の装置と同一の部材には同一の符号を付して説明を省略する。
【００１８】
図１は本発明装置の本体ケース部分における要部概略縦断側面図、図２は本発明における自動操作と手動操作の切換手段の構成を示す分解斜視図、図３は本発明装置の本体ケースの内部の概略構成を示す正面図、図４の（Ａ）は本発明装置の本体ケースに設けた工具挿入穴と操作切換工具との関係を示す概略斜視図、（Ｂ）は工具挿入穴部分の正面図を示している。
【００１９】
図１において、本発明における自動操作と手動操作の切換手段を構成する主要な部材は、本体ケース１８内に突出する電動モータ１４の外側端部に固着されたラッチホイール１と、ラッチガイド２を介して本体ケース１８内でラッチホイール１に接近離隔可能に設置され、ラッチホイール１に係合・離脱するラッチ３と、本体ケース１８内で前記ラッチガイド２に回動可能に支持され、ラッチ３をラッチホイール１に係合・離脱させるためのラッチ操作手段４とからなる。そして、前記ラッチ操作手段４に対応させて、所定時、本体ケース１８の外部から操作切換工具５を挿入してラッチカム４を回動させるための工具挿入穴６が本体ケース１８の一部に設けられている。
【００２０】
ラッチホイール１は、図２及び図３に示すように、外周面にラッチ３の先端部が係合する少なくとも１つ、或いは１つ以上複数個（図は３個の場合を例示）の係合凹部１ａが形成してある。
【００２１】
ラッチガイド２は、本体ケース１８内に固着され、ラッチ３とラッチ操作手段４とを支持するものである。
【００２２】
ラッチ３は、図１、図２及び図３に示すように、ラッチガイド２と本体ケース１８の一部１８ａとによって、ラッチホイール１の外周面の係合凹部１ａに向けて接近離隔方向に摺動可能に案内保持され、常時、ラッチばね７によって先端部３ａをラッチホイール１の外周面に圧接させている。ラッチ３の先端部３ａは、ラッチホイール１の係合凹部１ａに係合する形状とされている。
【００２３】
ラッチ操作手段４は、カム方式を採用した場合を例示しており、この場合、図１、図２及び図３に示すように、円盤状の一方の面がラッチ３の側面に形成された係止段部３ｂに係合する半円凸状のカム面４ａとされ、他方の面の中心部に円筒状軸部４ｂを突出させて形成している。そして、円筒状軸部４ｂをラッチガイド２の軸穴２ａに回動可能に挿入して支持させている。
【００２４】
ラッチ操作手段４の円筒状軸部４ｂには、キー溝４ｃが形成してあり、このキー溝４ｃに嵌合するキー突起５ａを先端に形成した操作切換工具５が準備される。この操作切換工具５は、図示例では、Ｔ型ハンドル形状のものを示しているが、他の形状、例えば、マイナス形状のドライバや、プラス形状のドライバ、或いは、六角形のドライバ等の適宜の先端形状をもつ工具を適用してもよい。
【００２５】
上記操作切換工具５を本体ケース１８の外部から挿入可能とするために、本体ケース１８の一部には、ラッチ操作手段４の円筒状軸部４ｂに対応する位置に工具挿入穴６を形成している。図１及び図４の（Ａ）、（Ｂ）では、本体ケース１８の蓋１８ｂの一部に工具挿入穴６を形成した場合を例示している。
【００２６】
上記工具挿入穴６には、図１及び図４の（Ａ）、（Ｂ）に示すように、開閉可能なキャップ８がピン９を介して取付けてある。これによって、通常時では、工具挿入穴６は、キャップ８で被覆閉鎖可能としてある。
【００２７】
このように、工具挿入穴６に開閉可能なキャップ８が取付けてあることにより、悪戯などによるラッチ操作手段４の不正操作等を防止でき、塵埃の侵入防止も図れる。
【００２８】
なお、図３において、本体ケース１８内の上部両側には、上限リミットスイッチ２８を作動させる上限カム２９、及び下限リミットスイッチ３０を作動させる下限カム３１を設置している。上限カム２９及び下限カム３１には、図１、図５及び図６の（Ａ）に示すように、巻取りドラム１２と一体のドラムホルダ１７に固着してある駆動ギヤ３２から、中継ギヤ３３を経由して、巻取りドラム１２の巻取り量及び巻き戻し量（回転量）に比例した回転を減速伝達させ、スラット１１が巻き上げ上限及び下限に達すると、前記リミットスイッチ２８、３０によって電動モータ１４を停止させるようにしていることは従来装置と同様である。
【００２９】
上記実施例では、ラッチ３をラッチホイール１の径方向に接近離隔可能としているが、ラッチ３をラッチホイール１の軸方向から接近離隔させるようにしてもよい。
【００３０】
その場合では、ラッチ操作手段４の円筒状軸部４ｂの軸線をラッチホイール１の軸線に直交させてラッチガイド２に挿入支持させ、これに対応して、操作切換工具５の挿入方向を巻取りドラム１２の軸方向に直交する方向とするのが好ましい。
【００３１】
なお、本体ケース１８の蓋１８ｂにラッチガイド２を一体に形成してラッチ操作手段４の円筒状軸部４ｂを挿入する軸穴２ａを蓋１８ｂの外面に露出させ、この部分に開閉可能なキャップ８を取付けてもよい。
【００３２】
また、実施例では、ラッチ操作手段４として手動操作カム方式を採用した場合を例示しているが、これに代えて、他の方式、例えば、テコレバー方式、リンク方式、プルレバー方式、プルケーブル方式、ねじ方式等、ラッチ３をラッチホイール１から係合離脱操作できる手動操作方式のものを採用してもよい。
【００３３】
【発明の効果】
本発明によれば、電動式シャッターの手動切換装置の自動操作と手動操作の切換手段を構成する全ての部材が本体ケース内に収納されており、外部に露出させる必要がないため、ラッチが誤ってラッチホイールからの係合を離脱されるようなことが皆無となり、安全性が著しく向上する。
【００３４】
また、ラッチ操作手段にカム方式を採用することにより、ラッチをラッチホイールに対して係合・離脱させるための操作は、操作切換工具によりラッチカムを１回転以内の小さい角度、例えば、９０°程度回動させるだけでよく、しかも、操作切換工具によるラッチカムの回転方向は、正逆いずれの方向でもよいため、切換操作が簡単で操作性も向上する。
【図面の簡単な説明】
【図１】本発明装置の本体ケース部分における要部概略縦断側面図。
【図２】本発明における自動操作と手動操作の切換手段の構成を示す分解斜視図。
【図３】本発明装置の本体ケースの内部の概略構成を示す正面図。
【図４】（Ａ）は本発明装置の本体ケースに設けた工具挿入穴と操作切換工具との関係を示す概略斜視図、（Ｂ）は工具挿入穴部分の正面図。
【図５】従来装置の縦断側面図。
【図６】（Ａ）は従来装置における本体ケースの内部を示す縦断正面図、（Ｂ）はその側面図。
【符号の説明】
１    ラッチホイール
２    ラッチガイド
３    ラッチ
４    ラッチ操作手段（ラッチカム）
５    操作切換工具
６    工具挿入穴
７    ラッチばね
８    キャップ
９    ピン
１１  スラット
１２  巻取りドラム
１３  シャッター取付け個所
１４  電動モータ
１５  ドラムキャップ
１６  支持軸
１７  ドラムホルダ
１８  本体ケース
１９  出力軸
２０  駆動ロータ
３５  巻取りスプリング
【図１】
0004152531.tif 000002
【図２】
0004152531.tif 000003
【図３】
0004152531.tif 000004
【図４】
0004152531.tif 000005
【図５】
0004152531.tif 000006
【図６】
0004152531.tif 000007